(57)【特許請求の範囲】
【請求項１】
センサからの入力信号に基づき遊技制御を実行するパチンコ遊技機の信号制御装置に用いられ、前記パチンコ遊技機に搭載される複数の前記センサからの入力信号を検出し、検出結果に応じた出力信号を制御部へ伝送するパチンコ遊技機の入力インターフェース回路であって、
前記センサから検出される入力信号のレベルと閾値レベルとを比較して得られた比較結果に基づいて出力信号を発生する複数のコンパレータと、前記コンパレータからの出力信号を、後段に接続された、パチンコ機の動作制御用の第１の制御部及び前記第１の制御部へ正しく伝送されているかを確認する試験器の動作制御用の第２の制御部のそれぞれへ出力する際に、当該第１の制御部及び第２の制御部に対する前記コンパレータの出力信号の出力動作を、前記第１の制御部及び第２の制御部からそれぞれ送られてくる前記出力信号を要求する制御信号に基づき、それぞれ独立した任意のタイミングで制御するバッファとを有し、
それぞれ独立して前記閾値レベルを設定可能な前記コンパレータ、前記コンパレータの周辺回路及び前記バッファを集積回路化すると共に、検出すべき前記入力信号のレベルに応じて前記閾値レベルを設定変更する変更手段を有することを特徴とするパチンコ遊技機の入力インターフェース回路。
【請求項２】
複数の各種センサをグループ分けし、該センサそれぞれに応じた閾値レベルの設定ができることを特徴とする請求項１記載のパチンコ遊技機の入力インターフェース回路。
【請求項３】
複数のセンサ種毎に該センサそれぞれに応じた閾値レベルの設定ができることを特徴とする請求項１乃至２記載のいずれか１項に記載のパチンコ遊技機の入力インターフェース回路。
【発明の詳細な説明】
【０００１】
【発明の属する技術分野】
本発明は、複数の各種センサからの信号を検出し、検出結果に応じた出力信号を制御部へ伝送するパチンコ遊技機の信号制御装置にかかり、特に、複数の各種センサスイッチの入力信号検出レベルを所望の値に設定できるパチンコ遊技機の入力インターフェース回路に関する。
【０００２】
【従来の技術】
近年、パチンコ等の遊技機においては、多種のセンサスイッチを複数個備えたものが製造されている。特にパチンコ遊技機では、パチンコ球の動きを検出するために、複数のセンサスイッチ（例えば近接スイッチ、フォトスイッチ等）が用いられている。また、これらのセンサスイッチからの信号を検出し、ＣＰＵ等の制御部に伝送するために入力インターフェース回路が用いられている。従来、このような入力インターフェース回路は、スイッチの検出信号に対しての電圧変換回路にツェナーダイオード、トランジスタ等を使用していた。
【０００３】
図１４には、従来の、パチンコ遊技機の入力インターフェース回路を適用した信号検出装置９００が示されている。前記信号検出装置９００には、２種類のスイッチが接続されている。前記信号検出装置９００はセンサスイッチ９０２、９０３からの入力信号に応じ、入力インターフェース回路９０１を介して制御部９０８に出力信号を伝送している。また、前記入力インターフェース回路９０１は、検出及び電圧変換回路９０４と、その後段に接続された出力回路９０６とから構成されている。
【０００４】
前記センサスイッチ９０２は３つの端子を有し、第１の端子は接地され、第３の端子は抵抗Ｒ19を介して電源ＶDD1に接続されている。また、第２の端子は、前記検出及び電圧変換回路９０４のツェナーダイオードＺＤ１のカソード側に接続されている。さらに、前記センサスイッチ９０２の第２の端子には抵抗Ｒ11を介して電源ＶDD1も接続されている。同様に、前記センサスイッチ９０３も２つの端子を有し、第１の端子は接地され、第２の端子は、前記検出及び電圧変換回路９０４のツェナーダイオードＺＤ２のカソード側に接続されている。さらに、前記センサスイッチ９０３の第２の端子には抵抗Ｒ12を介して電源ＶDD2も接続されている。
【０００５】
前記ツェナーダイオードＺＤ１のアノード側はトランジスタＴｒ1のベースに抵抗Ｒ15を介して接続され、トランジスタＴｒ1のベースとエミッタとは抵抗Ｒ16を介して接続されている。また、前記トランジスタＴｒ1はエミッタ接地され、コレクタは出力回路９０６への出力端となっている。さらに、トランジスタＴｒ1のコレクタには、抵抗Ｒ13を介して電源ＶCC1が接続されている。同様に、前記ツェナーダイオードＺＤ２のアノード側はトランジスタＴｒ2のベースに抵抗Ｒ17を介して接続され、トランジスタＴｒ2のベースとエミッタとは抵抗Ｒ18を介して接続されている。また、前記トランジスタＴｒ2はエミッタ接地され、コレクタは出力回路９０６への出力端となっている。さらに、トランジスタＴｒ2のコレクタには、抵抗Ｒ14を介して電源ＶCC2が接続されている。
【０００６】
ここで、例えば、センサスイッチ９０２がフォトスイッチである場合については、センサスイッチ９０２の出力がＯＦＦの状態では、電源ＶDD1から抵抗Ｒ11を介してトランジスタＴｒ1のベース―エミッタ間に電流が流れて、前記トランジスタＴｒ1はオンとなる。これにより、電源ＶCC1から抵抗Ｒ13を介してトランジスタＴｒ1のコレクタ―エミッタ間に電流が流れるため、検出及び電圧変換回路９０４の出力端はローレベル信号（以下、Ｌレベル信号という）を有する状態となる。また、センサスイッチ９０２の出力がＯＮの状態では、電源ＶDD1から抵抗Ｒ11を介してセンサスイッチ９０２へ電流が流れ、センサスイッチ９０２の第１の端子でアースされる。このため、トランジスタＴｒ1のベースには電流が流れず、トランジスタＴｒ1はオフとなる。これにより、トランジスタＴｒ1のコレクタ―エミッタ間に電流は流れず、検出及び電圧変換回路９０４の出力端には、電源ＶCC1から抵抗Ｒ13を介して電圧が供給されるため、ハイレベル信号（以下、Ｈレベル信号という）を有する状態となる。
【０００７】
さらに、例えば、センサスイッチ９０３が２線式の近接スイッチである場合については、非検出状態では出力電圧（残留電圧）が存在するが、この電圧がツェナーダイオードＺＤ２のツェナー電圧より低く設定されている為、ツェナーダイオードＺＤ２はＯＦＦの状態であり、従って、トランジスタＴｒ2もＯＦＦの状態となり、検出及び電圧変換回路９０４の出力端はＨレベル信号を有する状態となる。また、センサスイッチ９０３が検出状態においては、出力電圧（残留電圧）がツェナーダイオードＺＤ２のツェナー電圧より高くなる為、ツェナーダイオードＺＤ２はＯＮの状態となり、従って、トランジスタＴｒ2もＯＮの状態となり、検出及び電圧変換回路９０４の出力端はＬレベル信号を有する状態となる。
【０００８】
前記検出及び電圧変換回路９０４の出力端は、信号線９１０Ａ，９１０Ｂを介して、出力回路９０６に接続され、さらに前記出力回路９０６の出力端は、信号線ＯＵＴ１−１、ＯＵＴ１−２を介して、制御部９０８に接続されている。
【０００９】
ここで、前記検出及び電圧変換回路９０４から出力される信号は、３ステートバッファ（以下、３ＳＢという）９０６Ａ，９０６Ｂで構成された出力回路９０６を介して、制御部９０８に伝送される。
【００１０】
ところで、上記したパチンコ遊技機の入力インターフェース回路９０１では、ツェナーダイオードとトランジスタの組み合わせによって、センサスイッチからの入力信号レベルが変換されている。ここで、センサスイッチからの入力信号レベルを変換する必要性は、スイッチの動作電圧（主に１２Ｖ）と回路に用いる電子部品の動作電圧（５Ｖ）が異なることに起因する。
【００１１】
また、このような回路は、個別電子部品をプリント基板上に配置してはんだ付けして構成されていた。
【００１２】
【発明が解決しようとする課題】
しかしながら、従来の、パチンコ遊技機の入力インターフェース回路９０１において、入力信号を検出し信号レベルの変換を行なうためのツェナーダイオードＺＤ１、ＺＤ２とトランジスタＴｒ1、Ｔｒ2との組み合わせによる回路は、その動作が周囲温度の変化に影響を受けやすい。なぜなら、ツェナーダイオードあるいはトランジスタの特性が周囲温度によって変化してしまうためである。つまり、例えばツェナーダイオードのツェナー電圧が温度変化によって変動してしてしまうと、閾値電圧が変動してしまうことになり、正確な信号検出が不可能となり、信号の誤検出や最悪の場合、回路の誤動作を引き起こしてしまう。
【００１３】
さらに、回路基盤上の温度分布によって素子の特性変化にばらつきが生じ、このことも、誤検出、誤動作の原因となってしまう。
【００１４】
また、従来の、パチンコ遊技機の入力インターフェース回路９０１では、入力検出レベルの異なるスイッチを併用するにあたって、各スイッチの動作電圧に応じてその都度ツェナー電圧の異なるツェナーダイオードを用意しなければならず、回路の設計変更が容易にできなかった。
【００１５】
本発明は、上記事実を考慮し、周囲の温度の変化に影響されにくく、適正に信号を検出することができるパチンコ遊技機の入力インターフェース回路を得ることが目的である。
【００１６】
【課題を解決するための手段】
請求項１に記載の発明は、センサからの入力信号に基づき遊技制御を実行するパチンコ遊技機の信号制御装置に用いられ、前記パチンコ遊技機に搭載される複数の前記センサからの入力信号を検出し、検出結果に応じた出力信号を制御部へ伝送するパチンコ遊技機の入力インターフェース回路であって、
前記センサから検出される入力信号のレベルと閾値レベルとを比較して得られた比較結果に基づいて出力信号を発生する複数のコンパレータと、前記コンパレータからの出力信号を、後段に接続された、パチンコ機の動作制御用の第１の制御部及び前記第１の制御部へ正しく伝送されているかを確認する試験器の動作制御用の第２の制御部のそれぞれへ出力する際に、当該第１の制御部及び第２の制御部に対する前記コンパレータの出力信号の出力動作を、前記第１の制御部及び第２の制御部からそれぞれ送られてくる前記出力信号を要求する制御信号に基づき、それぞれ独立した任意のタイミングで制御するバッファとを有し、
それぞれ独立して前記閾値レベルを設定可能な前記コンパレータ、前記コンパレータの周辺回路及び前記バッファを集積回路化すると共に、検出すべき前記入力信号のレベルに応じて前記閾値レベルを設定変更する変更手段を有することを特徴としている。
【００１７】
請求項１に記載の発明によれば、周囲温度の変化による特性の変動がかなり小さいコンパレータを用いるので、周囲の温度の変化に影響されにくい、正確な信号検出ができる。また、バッファを用いることで、所望のタイミングで信号を出力することができる。さらに、前記入力インターフェース回路の共通部分を集積回路化することで、各素子の温度特性が略均一化し、検出レベルでのばらつきを防止する。
【００１８】
所望の閾値レベルを設定変更する手段として、抵抗の分圧又は基準電圧を直接与える構成を用いる。よって、抵抗の組合せにより、所望の閾値レベルを容易に設定することができる。また、抵抗は周囲温度による特性変化が比較的少ないため、安定した閾値レベルを設定できる。
【００１９】
請求項２に記載の発明は、請求項１記載の発明において、複数の各種センサをグループ分けし、該センサそれぞれに応じた閾値レベルの設定ができることを特徴としている。
【００２０】
請求項２に記載の発明によれば、入力信号のレベルが異なるセンサスイッチを併用するにあたり、各センサに応じて閾値レベルを設定できるので、例えば、動作電圧別にグループ分けすることで、本来複雑な回路設計を単純化できる。
【００２１】
請求項３に記載の発明は、請求項１乃至２記載のいずれか１項に記載の発明において、複数のセンサ種毎に該センサそれぞれに応じた閾値レベルの設定ができることを特徴としている。
【００２２】
請求項３に記載の発明によれば、入力信号のレベルが異なるセンサスイッチを併用するにあたり、各センサの動作特性に応じて最適な閾値レベルを設定できる。
【００２３】
【発明の実施の形態】
以下、図面を参照して本発明の実施の形態を詳細に説明する。
（第１の実施の形態）
図１には、本発明が適用されたパチンコ遊技機１０が示されている。パチンコ遊技機１０の遊技盤面における円弧状のレール１２で囲まれた領域が、遊技領域であるゲージ部１４とされており、レール１２を通って打ち出されたパチンコ球がゲージ部１４上を落下していくように構成されている。
【００２４】
ゲージ部１４には複数（例えば２個）の入賞口２２が設けられ、この入賞口２２にパチンコ球が入賞することにより、所定数のパチンコ球が遊技者に提供されるように構成されている。また、このゲージ部１４の中央部には、特別図柄表示装置２４が配置され、その下方には特別図柄表示装置２４を始動するための特別図柄始動入賞口１８が配置されている。さらに、ゲージ部１４の左方には、普通図柄表示装置２６が配置され、この普通図柄表示装置２６を始動するための作動ゲート１６が特別図柄始動入賞口１８の両側に配置されている。前記、特別図柄表示装置２４、普通図柄表示装置２６は、予め定められた図柄が表示されることにより、遊技を遊技者にとって有利な状態に導くことで、遊技の補助的な役割を行っている。また、特別図柄始動入賞口１８の下方には大入賞口２０が配置されており、大入賞口２０の中央には特定領域２８が設けられている。
【００２５】
図２に示される如く、遊技盤面裏面には、各種制御基盤及びセンサスイッチが配置されている。
【００２６】
上述した作動ゲート１６、大入賞口２０の特定領域２８それぞれには、作動ゲートスイッチ３０、役物連続作動装置スイッチ３４が配置されている。また、特別図柄始動入賞口１８の裏面には、特別図柄始動入賞口１８に入賞したパチンコ球が案内経路４６を介して通過する特別図柄始動スイッチ３２が配置されている。また、前記役物連続作動装置スイッチ３４を通過したパチンコ球が続けて通過するカウントスイッチ３６が前記役物連続作動装置スイッチ３４の下方に配置されている。前記、役物連続作動装置スイッチ３４、カウントスイッチ３６は、特別図柄表示装置２４の状態により大入賞口２０が変動制御されることで、大当たりの確定及び継続をしている。さらに、各ゲートや入賞口を通過したパチンコ球が集められる案内経路４４には、通過するパチンコ球が接触することで稼動する２つの遮光板４２と、それぞれの遮光板４２挟むように、遊技者に払出を行う賞球を待機させる賞球待機スイッチ３８、入賞球検出スイッチ４０が配置されている。
【００２７】
図３に示される如く、作動ゲートスイッチ３０、特別図柄始動スイッチ３２、カウントスイッチ３６には近接スイッチ５０が用いられている。
【００２８】
該近接スイッチ５０は、設けられた空間５０Ａをパチンコ球等の物体が通過することにより検出信号を出力する。また、役物連続作動装置スイッチ３４にはフォトスイッチ５２が用いられている。該フォトスイッチ５２は、設けられた空間５２Ａをパチンコ球等の物体が通過することにより検出信号を出力する。さらに、賞球待機スイッチ３８，入賞球検出スイッチ４０にはフォトスイッチ５４が用いられている。該フォトスイッチ５４は、設けられた空間５４Ａにおける前記遮光板４２の有無により検出信号を出力する。
【００２９】
なお、本実施の形態では、機構上、入賞球検出スイッチ４０により入賞球を１箇所に集めて検出し、パチンコ遊技機に搭載された制御処理部（図６のＣＰＵ７０４Ｄ）に伝達する構成であるが、遊技の進行に直接関係のある作動ゲート１６、特別図柄始動入賞口１８、大入賞口２０及び遊技の進行に直接影響しない入賞口２２等、全ての入賞口に、各々入賞球検出スイッチ（入賞球を検出する手段）を配置し、単独に入賞球を検出して全ての検出信号が、パチンコ遊技機に搭載された制御処理部に伝達する構成とすることも可能である。
【００３０】
図４には、本第１の実施の形態に係るパチンコ遊技機１０の入力インターフェース回路１０１の概略図が示されている。図４では、前記パチンコ遊技機１０の入力インターフェース回路１０１に適用された前記近接スイッチ５０、フォトスイッチ５２、５４等をセンサスイッチ１０２，１０４として説明する。センサスイッチという一般的な名称としたのは、このセンサスイッチ１０２，１０４が近接スイッチやフォトスイッチに限らないからである。
【００３１】
信号制御装置１００は、前記センサスイッチ１０２、１０４からの入力信号に応じ、前記入力インターフェース回路１０１を介して制御部５００、６００に出力信号を伝送している。この制御部５００は、例えば、パチンコ遊技機の予め定められた制御プログラムに従って制御を行うＣＰＵに対応し、制御部６００は、外部にある動作チェック制御に対応する。すなわち、入力インターフェース回路１０１は、１つの入力信号に対して２つの同一の出力信号を得られる１入力２出力の回路となっている。また、前記入力インターフェース回路１０１は、前記センサスイッチ１０２，１０４からの入力信号を閾値電圧と比較し、その結果を論理レベル電圧に変換する検出及び電圧変換回路２００と、前記制御部５００、６００それぞれに電圧変換された信号を出力する出力回路３００、４００とから構成されている。また、前記出力回路３００は２つの３ＳＢ３０２、３０４から構成され、前記出力回路４００は２つの３ＳＢ４０２、４０４から構成されている。なお、前記検出及び電圧変換回路２００は２つの入力端と２つの出力端を備え、前期出力回路３００、４００はそれぞれ、前記制御部５００、６００からの制御信号が入力される２つの入力端を含めた４つの入力端と、２つの出力端を備えている。
【００３２】
前記センサスイッチ１０２は３つの信号端子を有し、第１の端子は接地され、第３の端子は抵抗Ｒcを介して電源ＶDD1が接続されている。第２の端子は前記検出及び電圧変換回路２００の第１の入力端に接続されている。前記検出及び電圧変換回路２００において、前記第１の入力端は抵抗Ｒ2を介してコンパレータ２０２の非反転入力端子に接続されている。また、前記第１の入力端と抵抗Ｒ2との間には抵抗Ｒ1を介して電源ＶDD1が接続され、前記抵抗Ｒ2と前記コンパレータ２０２の非反転入力端子との間には一端が接地された抵抗Ｒ3が接続されている。また、接続点ａには、一端が接地されたコンデンサＣ1が接続されている。
【００３３】
前記コンパレータ２０２の反転入力端子には抵抗Ｒ7を介して電源ＶCC1が接続されている。さらに、前記コンパレータ２０２の反転入力端子と前記抵抗Ｒ7との間には一端が接地された抵抗Ｒ8が接続されている。また、前記コンパレータ２０２の出力端は、前記検出及び電圧変換回路２００の第１の出力端に接続されている。また、前記コンパレータ２０２の出力端には、抵抗Ｒaを介して電源ＶCCが接続されている。また、コンパレータ２０２自体は、電源ＶCCが供給されるように接続されていると共に接地されている。
【００３４】
コンパレータ２０２及び出力回路３００における供給電源ＶCCはセンサスイッチ１０２に抵抗Ｒ1を介して供給される電源ＶDD1と異なっており、本実施の形態では、電源ＶDD1は供給電源ＶCC より高い電圧となっている。これは、例えば、スイッチの動作電圧である電源ＶDD1は１２Ｖであり、回路に用いる電子部品の動作電圧である供給電源ＶCCは５Ｖであることに対応する。
【００３５】
従って、センサスイッチ１０２から検出及び電圧変換回路２００の入力端に入力される信号は、その電圧レベルを抵抗Ｒ2、Ｒ3により、コンパレータ２０２に入力可能な適当なレベルに降下され、コンパレータ２０２の非反転入力端子に伝達される。
【００３６】
コンパレータ２０２の反転入力端子には、電源ＶCC1を抵抗Ｒ7、Ｒ8によって分圧した電圧を与え、閾値電圧（比較基準電圧）としている。
【００３７】
ここで、コンパレータ２０２がオープンコレクタタイプの場合、コンパレータ２０２の出力端は、出力信号がＨレベル時に電源ＶCCと同一電圧レベルを出力するため、抵抗Ｒaによってプルアップされている。
【００３８】
また、コンパレータ２０２において、出力端と非反転入力端子とを抵抗（図示しない）を介して接続し正帰還をかけることで出力信号レベルがＬからＨに変化する時の閾値と、ＨからＬに変化する時の閾値に差を与え、所謂ヒステリシス特性を備えたコンパレータにすることができる。これにより、閾値レベルでのノイズによる誤動作を防止することが可能である。
【００３９】
また、コンデンサＣ1はセンサスイッチ１０２からの信号にノイズが含まれている場合に、そのノイズ成分をグランドへバイパスさせることでコンパレータ２０２へノイズが伝達されないようにするノイズフィルタの作用を有する。
【００４０】
前記出力回路３００において、前記検出及び電圧変換回路２００の第１の出力端は信号線１０６を介して前記３ＳＢ３０２の入力端子３０２Ａに接続され、前記３ＳＢ３０２の反転出力端子３０２Ｂは信号線ＯＵＴ１−１を介して制御部５００のＩＮ１−１端子に接続されている。同様に、前記出力回路４００において、前記信号線１０６上の分岐点Ａで分岐された前記検出及び電圧変換回路２００の第１の出力端は信号線１１０を介して前記３ＳＢ４０２の入力端子４０２Ａに接続され、前記３ＳＢ４０２の反転出力端子４０２Ｂは信号線ＯＵＴ２−１を介して制御部６００のＩＮ２−１端子に接続されている。
【００４１】
前記センサスイッチ１０４は２つの信号端子を有し、一方の端子は接地され、他方の端子は前記検出及び電圧変換回路２００の第２の入力端に接続されている。前記検出及び電圧変換回路２００において、前記第２の入力端は抵抗Ｒ5を介してコンパレータ２０４の非反転入力端子に接続されている。また、前記第２の入力端と抵抗Ｒ5との間には抵抗Ｒ4を介して電源ＶDD2が接続され、前記抵抗Ｒ5と前記コンパレータ２０４の非反転入力端子との間には一端が接地された抵抗Ｒ6が接続されている。また、接続点ｂには、一端が接地されたコンデンサＣ2が接続されている。
【００４２】
前記コンパレータ２０４の反転入力端子には抵抗Ｒ9を介して電源ＶCC2が接続されている。さらに、前記コンパレータ２０４の反転入力端子と前記抵抗Ｒ9との間には一端が接地された抵抗Ｒ10が接続されている。また、前記コンパレータ２０４の出力端は、前記検出及び電圧変換回路２００の第２の出力端に接続されている。また、前記コンパレータ２０４の出力端には、抵抗Ｒbを介して電源ＶCCが接続されている。また、コンパレータ２０４自体は、電源ＶCCが供給されるように接続されていると共に接地されている。
【００４３】
センサスイッチ１０４から検出及び電圧変換回路２００の入力端に入力される信号は、その電圧レベルを抵抗Ｒ5、Ｒ6により、コンパレータ２０４に入力可能な適当なレベルに降下され、コンパレータ２０４の非反転入力端子に伝達される。
【００４４】
コンパレータ２０４の反転入力端子には、電源ＶCC2を抵抗Ｒ9、Ｒ10によって分圧した電圧を与え、閾値電圧（比較基準電圧）としている。
【００４５】
ここで、コンパレータ２０４がオープンコレクタタイプの場合、コンパレータ２０４の出力端は、出力信号がＨレベル時に電源ＶCCと同一電圧レベルを出力するため、抵抗Ｒbによってプルアップされている。
【００４６】
また、コンパレータ２０４において、出力端と非反転入力端子とを抵抗（図示しない）を介して接続し正帰還をかけることで出力信号レベルがＬからＨに変化する時の閾値と、ＨからＬに変化する時の閾値に差を与え、所謂ヒステリシス特性を備えたコンパレータにすることができる。これにより、閾値レベルでのノイズによる誤動作を防止することが可能である。
【００４７】
また、コンデンサＣ2はセンサスイッチ１０４からの信号にノイズが含まれている場合に、そのノイズ成分をグランドへバイパスさせることでコンパレータ２０４へノイズが伝達されないようにするノイズフィルタの作用を有する。
【００４８】
前記出力回路３００において、前記検出及び電圧変換回路２００の第２の出力端は信号線１０８を介して前記３ＳＢ３０４の入力端子３０４Ａに接続され、前記３ＳＢ３０４の反転出力端子３０４Ｂは信号線ＯＵＴ１−２を介して制御部５００のＩＮ１−２端子に接続されている。同様に、前記出力回路４００において、前記信号線１０８上の分岐点Ｂで分岐された前記検出及び電圧変換回路２００の第２の出力端は信号線１１２を介して前記３ＳＢ４０４の入力端子４０４Ａに接続され、前記３ＳＢ４０４の反転出力端子４０４Ｂは信号線ＯＵＴ２−２を介して制御部６００のＩＮ２−２端子に接続されている。
【００４９】
また、前記制御部５００のＣＳ１−ＯＵＴ端子は信号線ＣＳ１を介して分岐点Ｃで分岐され、それぞれ前記３ＳＢ３０２、３０４の各制御端子３０２Ｃ、３０４Ｃに接続されている。同様に、前記制御部６００のＣＳ２−ＯＵＴ端子は信号線ＣＳ２を介して分岐点Ｄで分岐され、それぞれ前記３ＳＢ４０２、４０４の各制御端子４０２Ｃ、４０４Ｃに接続されている。
【００５０】
ここで、コンパレータ２０２の各反転入力端子には、センサスイッチ１０２からの入力信号を検出するための閾値レベルとして、電源ＶCC1から抵抗Ｒ7、Ｒ8の分圧を用いて基準電圧Ｖref1が設定されている。同様に、コンパレータ２０４の各反転入力端子には、センサスイッチ１０４からの入力信号を検出するための閾値レベルとして、電源ＶCC2から前記抵抗Ｒ9、Ｒ10の分圧を用いて基準電圧Ｖref2が設定されている。
【００５１】
また、検出及び電圧変換回路２００内で用いたコンパレータ２０２、２０４は、ヒステリシス特性を有している。
【００５２】
さらに、検出及び電圧変換回路２００の出力信号を分岐させ、それぞれに出力回路３００，４００を接続したことによって、各出力回路において同一の出力信号を後段の各制御部５００、６００へ、独立に伝送できる。
【００５３】
なお、上記回路において、コンパレータ２０２、２０４と出力回路３００，４００とその間の信号線分岐部分といった、１つのセンサスイッチの検出信号を扱う回路系間で共通となる回路部分は、集積回路化することができる。
【００５４】
次に本第１の実施形態の作用を説明する。
【００５５】
まず、センサスイッチ１０２の信号は、コンパレータ２０２の非反転入力端子には、電源ＶDD1から抵抗Ｒ1を介し抵抗Ｒ2、Ｒ3の分圧によって適切にレベル変換された電圧が供給される。また、コンパレータ２０２の反転入力端子には、電源ＶCC1と抵抗Ｒ7、Ｒ8とによって設定された基準電圧Ｖref1が供給される。ここで、コンパレータ２０２において、非反転入力端子に供給された信号電圧と反転入力端子に供給された基準電圧Ｖref1とレベルが比較される。検出信号電圧が基準電圧Ｖref1より大きいときは比較結果として、コンパレータ２０２の出力端から所定のＨレベル信号が出力される。また、反対に検出信号電圧が基準電圧Ｖref1より小さいときは比較結果として、コンパレータ２０２の出力端から所定のＬレベル信号が出力される。さらに、コンパレータ２０２の出力端から出力された前記Ｈレベル信号あるいはＬレベル信号は、信号線１０６を介して出力回路３００の３ＳＢ３０２の入力端子３０２Ａに伝送される。
【００５６】
ここで、制御部５００の出力端子ＣＳ１−ＯＵＴから信号線ＣＳ１を介して前記３ＳＢ３０２の制御端子３０２Ｃに伝送される制御信号がアクティブ信号のときは、前記３ＳＢ３０２において、入力端子３０２Ａに入力されたＨレベル信号あるいはＬレベル信号は、それぞれＨレベル信号はＬレベル信号に、Ｌレベル信号はＨレベル信号に反転出力される。反転出力された信号は、信号線ＯＵＴ１−１を介して、制御部５００の入力端子ＩＮ１−１へ伝送される。反対に、制御部５００からの前記制御信号が非アクティブ信号のときは、３ＳＢ３０２は信号を出力しないため、制御部５００への信号伝送は行なわれない。
【００５７】
また、コンパレータ２０２の出力端から出力された前記Ｈレベル信号あるいはＬレベル信号は、信号線１０６上の分岐点Ａ及び信号線１１０を介して出力回路４００の３ＳＢ４０２の入力端子４０２Ａに伝送される。なお、これ以降の出力回路４００においての作用は、前記出力回路３００においての作用と全く同様ある。
【００５８】
なお、センサスイッチ１０４ついての作用は、上述したセンサスイッチ１０２ついての作用と同様である。
【００５９】
以上説明したように、本第１の実施形態に係るパチンコ遊技機の入力インターフェース回路１０１では、検出及び電圧変換回路２００において入力信号レベルを電圧変換するために、抵抗の分圧によって閾値レベルを設定したコンパレータ用いたことで、従来のツェナーダイオードとトランジスタの組合せによる電圧変換に比して、周囲の温度変化に起因する誤検出、誤動作を防止できる。これは、ツェナーダイオードやトランジスタに比して、抵抗やコンパレータの、周囲温度の変化による特性変化がかなり少ないため、信号レベルの変動が抑制されるためである。なお、検出及び電圧変換回路２００に用いたコンパレータは、ヒステリシス特性を有しているため、ある程度の雑音を含んだ信号に対しても適切な信号検出が可能となる。従って、周囲の温度変化に対して動作の安定した回路が得られる。
【００６０】
また、本第１の実施形態に係るパチンコ遊技機の入力インターフェース回路１０１では、検出及び電圧変換回路２００内のコンパレータ２０２，２０４の各反転入力端子に対して、センサスイッチ１０２、１０４から入力されるレベルの異なる信号を検出するための閾値レベルとして、それぞれの信号に応じて抵抗の分圧を用いて基準電圧Ｖref1、Ｖref2を設定している。このとき、基準電圧Ｖref1、Ｖref2を変更する場合には、希望の電圧を得られるように抵抗の組合せを変更するのみなので、さまざまな入力検出レベルで動作する各種のセンサスイッチに対する検出閾値電圧の柔軟なレベル設定が容易に行なえる。したがって、複雑な回路設計をせずに、複数の各種センサスイッチの併用が可能となる。
【００６１】
また、本第１の実施形態に係るパチンコ遊技機の入力インターフェース回路１０１では、検出及び電圧変換回路２００の出力信号を分岐点Ａ、Ｂにおいて分岐させ、それぞれの出力信号を出力回路３００，４００に伝送しており、さらに出力回路３００，４００には、各制御部５００，６００からの制御信号がそれぞれ任意のタイミングで伝送される。このため、検出及び電圧変換回路２００から各出力回路３００，４００に入力された同一の検出信号は、各制御部５００，６００から各出力回路３００，４００に入力される制御信号の状態に応じて、独立した出力信号制御ができる。すなわち、パチンコ遊技機の入力インターフェース回路１０１において、例えば２つに分岐された出力信号のうち、一方をＣＰＵに接続し、他方を試験器に接続すれば、ＣＰＵに伝送されている検出信号と同一の信号を試験器に入力できるため、スイッチの検出信号が正しくＣＰＵに伝送されているかを確認する作業を容易に実行できる。これにより、スイッチの不正改造品及び不良品の検査が容易に行なうことが可能となる。また、各制御部５００，６００は、パチンコ遊技機の入力インターフェース回路１０１において、それぞれ、各出力回路３００，４００を介して、検出及び電圧変換回路２００に接続された構成になっているので、例えば、一方の制御部から発生した逆電流等の異常信号を遮断し、他方の制御部への信号に影響を与えないようにできる。このため、１入力２出力としても回路の動作信頼性を向上することができる。
【００６２】
さらに、本第１の実施形態に係るパチンコ遊技機の入力インターフェース回路１０１では、コンパレータ２０２、２０４と出力回路３００，４００とその間の信号線分岐部分といった、１つのセンサスイッチの検出信号を扱う回路系間で共通となる回路部分は、集積回路化することができる。これにより、集積化された回路全体の温度特性は均一化されるので、検出レベルのばらつきを大幅に抑制できる。
【００６３】
また、上記第１の実施の形態において、パチンコ遊技機１０の入力インターフェース回路１０１を１入力２出力の回路として説明したが、検出及び電圧変換回路２００からの信号の分岐点を増やし、出力回路３００または出力回路４００をさらに追加することで容易に１入力多出力の回路を構成できる。これにより、全く別の多系統への出力を同時に行なうことが可能となる。
【００６４】
さらに、図５には、上記第１の実施形態に係るパチンコ遊技機の入力インターフェース回路１０１についてその他の適用例の概略図が示されている。図５（Ａ）には、２種類のセンサスイッチを用いた場合の回路例が示されている。この場合、２種類のセンサスイッチそれぞれに応じた基準電圧Ｖref1A、Ｖref2Aがコンパレータの反転入力端子に供給されている。また、図５（Ｂ）には、３種類のセンサスイッチを用いた場合の回路例が示されている。この場合、３種類のセンサスイッチそれぞれに応じた基準電圧Ｖref1B、Ｖref2B、Ｖref3Bがコンパレータの反転入力端子に供給されている。このように入力検出レベルの異なるセンサスイッチを併用する場合でも、基準電圧をそれぞれのセンサスイッチに応じて適切に設定することで正確な信号検出ができる。したがって、複数の各種センサスイッチを併用することによる複雑な回路設計変更等が不用となり、複数の各種センサスイッチを併用した複雑な回路設計を容易に実現できる。
（第２の実施の形態）
図６には、第２の実施の形態に係る信号制御装置７００の概略図が示されている。なお、本第２の実施の形態に係る信号制御装置７００は、上述した第１の実施の形態において説明した、パチンコ遊技機１０に用いられるものである。前記信号制御装置７００は、前記第１の実施の形態で説明したパチンコ遊技機の入力インターフェース回路１０１の回路構成を用いた適用例である。
【００６５】
前記信号制御装置７００は、センサスイッチ７０２からの入力信号に応じた出力信号を２つに分岐して、主制御部７０４上のＣＰＵ７０４Ｄ及び試験装置７０８へ伝送する装置であり、１つの入力信号に対して２つの同一の出力信号を得られる１入力２出力の制御装置である。
【００６６】
センサスイッチ７０２は主制御部７０４の入力コネクタ７０４Ａを介して、検出及び電圧変換回路７０４Ｂに接続されている。前記主制御部７０４において、前記入力コネクタ７０４Ａは検出及び電圧変換回路７０４Ｂの入力側に接続されている。さらに、前記検出及び電圧変換回路７０４Ｂ出力側は、２つの出力回路７０４Ｃ、７０４Ｅの入力側、双方に分岐接続されている。さらに、出力回路７０４Ｃの出力側は前記ＣＰＵ７０４Ｄに接続されている。また、出力回路７０４Ｅの出力側は出力コネクタ７０４Ｆに接続されている。さらに、前記出力コネクタ７０４Ｆはインターフェース基盤７０６上の入力コネクタ７０６Ａ、及び出力コネクタ７０６Ｂを順に介して前記試験装置７０８に接続されている。
【００６７】
ここで、上記信号制御装置７００では、２つの出力端の一方をＣＰＵ７０４Ｄへ接続し、他方を試験装置７０８に接続しているため、ＣＰＵ７０４Ｄへの出力される信号と同一の信号を試験装置７０８に取り込むことができる。
【００６８】
次に本第２の実施形態の作用を説明する。
【００６９】
センサスイッチ７０２において感知した信号は、主制御部７０４の入力コネクタ７０４Ａを介して、検出及び電圧変換回路７０４Ｂへ伝送される。前記検出及び電圧変換回路７０４Ｂは、前記第１の実施の形態における検出及び電圧変換回路２００と同一であり、入力された検出信号が適切に電圧変換され出力される。さらに、出力された信号は２つに分岐され、一方は出力回路７０４Ｃを介してＣＰＵ７０４Ｄへ伝送され、他方は出力回路７０４Ｅ、出力コネクタ７０４Ｆ、インターフェース基盤７０６を順に介して試験装置７０８に伝送される。ここで、前記出力回路７０４Ｃ、７０４Ｅ共に、前記第１の実施の形態における出力回路３００，４００と同一であり、それぞれの後段から送られてくる制御信号の状態により、それぞれ独立した任意のタイミングで出力動作が行なわれる。
【００７０】
以上説明したように、本第２の実施の形態に係る信号制御装置７００では、出力端の１つを試験装置７０８に接続することで、スイッチ検出信号をモニタリングし、正しくＣＰＵ７０４Ｄへ伝わっているか確認する作業が容易に行なえる。なお、出力回路７０４Ｃ，７０４Ｅには、その後段に接続される機器に合わせて、３ＳＢでないバッファを用いることもできる。
（第３の実施の形態）
図７（Ａ）には、第３の実施の形態に係る集積回路化されたパチンコ遊技機の入力インターフェース回路７５０（以下、入力インターフェース回路ＩＣ７５０という）がプリント基盤７５２上に設置されている場合の概観図が示されている。また、図７（Ｂ）には、第３の実施の形態に係る入力インターフェース回路ＩＣ７５０の端子配列図が示されている。さらに、図８には、第３の実施の形態に係る入力インターフェース回路ＩＣ７５０の内部回路８０２（以下、ＩＣ内部回路８０２という）の概略図が示されている。なお、本第３の実施の形態に係る入力インターフェース回路ＩＣ７５０は、上述した第１の実施の形態において説明した、パチンコ遊技機１０に用いられるものである。
【００７１】
図８において、ＩＣ内部回路８０２に対してセンサスイッチ８００Ａ乃至８００Ｈと、基準電圧設定回路８０８，８１０が接続された回路８００が示されている。ここで、ＩＣ内部回路８０２は、８つの入力端子ＩＮ１乃至ＩＮ８を有し、さらに、第１の出力端子ＯＵＴ１−１乃至ＯＵＴ１−８と第２の出力端子ＯＵＴ２−１乃至ＯＵＴ２−８を備えている。また、２つの制御信号端子ＣＳ１，ＣＳ２を備え、さらに、２つの基準電圧入力端子Ｖrefadj.1、Ｖrefadj.2を備えている。また、電源端子ＶCCとグランド端子ＧＮＤを備えている。電源端子ＶCCには電源が供給され、グランド端子ＧＮＤは接地される。なお、入力端子ＩＮ１乃至ＩＮ４に対しては、コンパレータに設定する基準電圧は固定されており、入力端子ＩＮ５乃至ＩＮ６及び入力端子ＩＮ７乃至ＩＮ８に対しては、それぞれ基準電圧入力端子Ｖrefadj.1、Ｖrefadj.2から入力される信号によって基準電圧を独立に設定変更できる。
【００７２】
まず、コンパレータに設定する基準電圧が固定化された入力端子ＩＮ１についての回路構成を詳細に説明する。センサスイッチ８００Ａは２端子を有し、一方の端子は抵抗Ｒ1Aを介して電源ＶDDに接続され、他方の端子は接地されている。前記センサスイッチ８００Ａの前記抵抗Ｒ1Aが接続されている方の端子と前記抵抗Ｒ1Aとの間には、抵抗Ｒ1Bの一端が接続されている。さらに、前記抵抗Ｒ1Bの他端がＩＣ内部回路８０２の入力端子ＩＮ１に接続されている。前記ＩＣ内部回路８０２において、入力端子ＩＮ１は抵抗Ｒ1Cを介してコンパレータ８０２Ａの非反転入力端子８０２Ａ１が接続されている。さらに、前記抵抗Ｒ1Cと前記コンパレータ８０２Ａの前記非反転入力端子８０２Ａ１の間に抵抗Ｒ1Dの一端が接続され、前記抵抗Ｒ1Dの他端は接地されている。また、前記コンパレータ８０２Ａの反転入力端子８０２Ａ２には、一端が接地された抵抗Ｒ1が接続されている。さらに、前記抵抗Ｒ1と前記コンパレータ８０２Ａの前記反転入力端子８０２Ａ２との間に、抵抗Ｒ2を介して前記ＩＣ内部回路８０２の電源端子ＶCCが接続されている。また、前記コンパレータ８０２Ａは前記電源端子ＶCCから電源供給されている。前記コンパレータ８０２Ａの出力端子８０２Ａ３は、３ＳＢ８０４Ａの入力端子８０４Ａ１に接続されている。また、前記コンパレータ８０２Ａの前記出力端子８０２Ａ３と前記３ＳＢ８０４Ａの前記入力端子８０４Ａ１との間にある分岐点Ａ１は３ＳＢ８０６Ａの入力端子８０６Ａ１に接続されている。さらに、前記３ＳＢ８０４Ａの反転出力端子８０４Ａ２は前記ＩＣ内部回路８０２の出力端子ＯＵＴ１−１に接続され、前記３ＳＢ８０６Ａの反転出力端子８０６Ａ２は前記ＩＣ内部回路８０２の出力端子ＯＵＴ２−１に接続されている。また、前記３ＳＢ８０４Ａの制御端子８０４Ａ３及び前記３ＳＢ８０６Ａの制御端子８０６Ａ３は、それぞれ前記ＩＣ内部回路８０２の制御信号端子ＣＳ１，ＣＳ２に接続されている。
【００７３】
なお、センサスイッチ８００Ｂ乃至８００Ｄ及び前記ＩＣ内部回路８０２の入力端子ＩＮ２乃至ＩＮ４についての構成は上記のセンサスイッチ８００Ａ及び前記ＩＣ内部回路８０２の入力端子ＩＮ１と全く同様である。
【００７４】
次に、コンパレータに設定する基準電圧を所望の値に設定可能である入力端子ＩＮ５についての回路構成を説明する。センサスイッチ８００Ｅは、３つの端子を有している。３端子のうちの一つは抵抗Ｒ5Aを介して電源ＶDDが接続され、一つは接地されている。残りの一つは抵抗Ｒ5Bを介して、前記ＩＣ内部回路８０２の入力端子ＩＮ５に接続されている。また、抵抗Ｒ5Bと入力端子ＩＮ５との間には、抵抗を介して電源ＶDDが接続されている。ここで、前記ＩＣ内部回路８０２における入力端子ＩＮ５から後段の構成は、コンパレータ８０２Ｅの反転入力端子８０２Ｅ２が前記ＩＣ内部回路８０２の基準電圧入力端子Ｖrefadj.1に接続されていることを除いて、上記入力端子ＩＮ１の場合と全く同様である。
【００７５】
また、センサスイッチ８００Ｆ及び前記ＩＣ内部回路８０２の入力端子ＩＮ６についての構成は上記のセンサスイッチ８００Ｅ及び前記ＩＣ内部回路８０２の入力端子ＩＮ５と全く同様である。さらに、センサスイッチ８００Ｇ乃至８００Ｈ及び前記ＩＣ内部回路８０２の入力端子ＩＮ７乃至ＩＮ８についての構成は、上記のセンサスイッチ８００Ｅの場合とはセンサスイッチの種類が異なるため、そのセンサスイッチに応じた基準電圧を別の基準電圧入力端子Ｖrefadj.2により設定していることが異なるのみで、その他の構成は、上記センサスイッチ８００Ｅ及び前記ＩＣ内部回路８０２の入力端子ＩＮ５についての構成と全く同様である。
【００７６】
すなわち、上記ＩＣ内部回路８０２では、用途に合わせて、基準電圧を固定化する入力端子と可変化する入力端子の数を自由に変更することができる。また、それに応じて基準電圧入力端子の数も自由に変更できる。
【００７７】
さらに、前記ＩＣ内部回路８０２の基準電圧入力端子Ｖrefadj.1及びＶrefadj.2には基準電圧設定回路８０８及び８１０が接続されている。前記基準電圧設定回路８０８は、入力端子８０８Ａと出力端子８０８Ｂを有している。また、前記基準電圧設定回路８１０は前記基準電圧設定回路８０８と同様の回路であり、入力端子８１０Ａと出力端子８１０Ｂを有している。これにより、前記ＩＣ内部回路８０２の基準電圧入力端子Ｖrefadj.1、Ｖrefadj.2には、前記基準電圧設定回路８０８及び８１０から出力される基準電圧が印加される。
【００７８】
本第３の実施形態の作用については、検出信号の入力から出力にわたって上記第１の実施形態と同様である。ただし、ＩＣ内部回路８０２の入力端子ＩＮ５乃至ＩＮ８に入力される検出信号については、上述のようにコンパレータに設定する基準電圧は、基準電圧設定回路８０８，８１０により設定されるため、その構成及び作用について説明する。
【００７９】
ここでまず、コンパレータに基準電圧を設定するための回路について説明する。
【００８０】
図９に示す回路では、ＩＣ基盤外において、一端が電源ＶCCに接続された抵抗Ｒ１と、一端が接地された抵抗Ｒ２が直列に接続されている。さらに、抵抗Ｒ１と抵抗Ｒ２との接続点が、ＩＣ基盤上に配置されたコンパレータの非反転入力端子に接続されている。
【００８１】
この回路では、コンパレータの非反転入力端子に設定される基準電圧Ｖrefは抵抗Ｒ１、Ｒ２の分圧を用いて、以下の（１）式から求められる所望の値に設定される。
【００８２】
【数１】
0004471045.tif 000002
【００８３】
このため、回路の設計時に基準電圧Ｖrefの値を設定する必要がある。
【００８４】
図１０に示す回路では、ＩＣ基盤上において、一端が電源ＶCCに接続された抵抗Ｒ１と、一端が接地された抵抗Ｒ２が直列に接続されている。さらに、抵抗Ｒ１と抵抗Ｒ２との接続点が、ＩＣ基盤上に配置されたコンパレータの非反転入力端子に接続されている。さらに、ＩＣ基盤外において、一端が電源ＶCC（図示せず）に接続された抵抗Ｒ３、あるいは一端が接地（図示せず）された抵抗Ｒ４が、抵抗Ｒ１と抵抗Ｒ２との接続点に接続されている。
【００８５】
この回路では、ＩＣ基盤上において、コンパレータの非反転入力端子に設定される基準電圧Ｖrefは抵抗Ｒ１、Ｒ２の分圧により上記（１）式から求められる所望の値に設定される。この設定値は回路の設計時に、予め、使用頻度の多い値を設定する。これにより、図９に示す回路のように、外部に抵抗を接続しなくとも、基準電圧Ｖrefが設定されたコンパレータとして使用できる。また、設定された値以外の基準電圧値を設定する場合のみ、抵抗Ｒ３あるいは抵抗Ｒ４を上記の接続構成のように接続することで、新たな基準電圧値を設定できる。例えば、抵抗Ｒ３を接続した場合の基準電圧Ｖrefは、以下の（２）式から求められる。
【００８６】
【数２】
0004471045.tif 000003
【００８７】
また、抵抗Ｒ４を接続した場合の基準電圧Ｖrefは、以下の（３）式から求められる。
【００８８】
【数３】
0004471045.tif 000004
【００８９】
従って、この回路では図９に示す回路に比して、ＩＣ基盤の外部における部品の実装面積を縮小できる。
【００９０】
次に、基準電圧設定回路８０８について詳細に説明する。なお、基準電圧設定回路８１０ついては、基準電圧設定回路８０８と同等の回路であるため、説明を省略する。
【００９１】
図１１には基準電圧設定回路８０８の第１の回路構成例が示されている。この回路は、ＰＮＰ形トランジスタＴｒaとＮＰＮ形トランジスタＴｒbを有している。ＰＮＰ形トランジスタＴｒaのコレクタは抵抗Ｒ３の一端に接続され、ＮＰＮ形トランジスタＴｒbのコレクタは抵抗Ｒ４の一端に接続されている。さらに、抵抗Ｒ３の他端と抵抗Ｒ４の他端とが接続されている。また、ＰＮＰ形トランジスタＴｒaのエミッタには、電源ＶCC及び抵抗Ｒ１の一端が接続されている。抵抗Ｒ１の他端は抵抗Ｒ２の一端に接続され、抵抗Ｒ２の他端は接地されている。また、ＮＰＮ形トランジスタＴｒbのエミッタも接地されている。また、ＰＮＰ形トランジスタＴｒaのベースには抵抗ｒ2の一端が接続され、ＮＰＮ形トランジスタＴｒbのベースには抵抗ｒ3の一端が接続されている。さらに、抵抗ｒ2の他端と抵抗ｒ3の他端とが接続されている。この抵抗ｒ2と抵抗ｒ3との接続点は、入力端子ＩＮAに接続されている。この入力端子ＩＮAは、基準電圧設定回路８０８の入力端子８０８Ａに対応する。また、ＰＮＰ形トランジスタＴｒaのベースとエミッタとは抵抗ｒ1を介して接続され、ＮＰＮ形トランジスタＴｒbのベースエミッタとは抵抗ｒ4を介して接続されている。また、抵抗Ｒ１と抵抗Ｒ２との接続点は、抵抗Ｒ３と抵抗Ｒ４との接続点及び出力端子ＯＵＴAとに接続されている。出力端子ＯＵＴAは、基準電圧設定回路８０８の出力端子８０８Ｂに対応し、コンパレータの反転入力端子に接続される。これにより、コンパレータの反転入力端子には、基準電圧Ｖrefが設定される。
【００９２】
この回路よって、以下のように3種類の基準電圧を得ることができる。
【００９３】
まず一つ目の基準電圧値は、入力端子ＩＮAを開放した場合に得られる値である。この場合、トランジスタＴｒa及びＴｒbが共にＯＦＦの状態であり、抵抗Ｒ１、Ｒ２及び電源ＶCCによる抵抗の分圧として、上述の（１）式をそのまま適用することで、基準電圧値が得られる。
【００９４】
次に、二つ目の基準電圧値は、入力端子ＩＮAにＬレベル信号を入力した場合に得られる値である。この場合、入力されたＬレベル信号よって、トランジスタＴｒaのみがＯＮの状態となる。よって、抵抗Ｒ１、Ｒ２、Ｒ３及び電源ＶCCによる抵抗の分圧として、上述の（２）式をそのまま適用することで、基準電圧値が得られる。
【００９５】
さらに、三つ目の基準電圧値は、入力端子ＩＮAにＨレベル信号を入力した場合に得られる値である。この場合、入力されたＨレベル信号よって、トランジスタＴｒbのみがＯＮの状態となる。よって、抵抗Ｒ１、Ｒ２、Ｒ４及び電源ＶCCによる抵抗の分圧として、上述の（３）式をそのまま適用することで、基準電圧値が得られる。
【００９６】
また、図１２には基準電圧設定回路８０８の第２の回路構成例が示されている。この回路は、ｎチャネル電界効果トランジスタＦ1（以下、ｎＦＥＴＦ1という。）とｐチャネル電界効果トランジスタＦ2（以下、ｐＦＥＴＦ2という。）を有している。ｎＦＥＴＦ1のゲートとｐＦＥＴＦ1のゲートとは、分岐点Ｐ1において接続されている。また、分岐点Ｐ1は入力端子ＩＮBに接続されている。この入力端子ＩＮBは、基準電圧設定回路８０８の入力端子８０８Ａに対応する。また、分岐点Ｐ1と入力端子ＩＮBとの間には、一端が電源ＶCCに接続された抵抗ｒ5と一端が接地された抵抗ｒ6とが接続されている。また、ｎＦＥＴＦ1のソースは接地され、ドレインには抵抗Ｒ３の一端が接続されている。抵抗Ｒ３の他端には、抵抗Ｒ１の一端が接続され、抵抗Ｒ１の他端には、電源ＶCCが接続されている。また、ｐＦＥＴＦ2のソースも接地され、ドレインには抵抗Ｒ３´の一端が接続され、抵抗Ｒ３´の他端は分岐点Ｐ2に接続されている。また、分岐点Ｐ3には、一端が接地された抵抗Ｒ２が接続されている。また、抵抗Ｒ１と抵抗Ｒ３との接続点は、分岐点Ｐ2及びＰ3を順に介して、出力端子ＯＵＴBに接続されている。出力端子ＯＵＴBは、基準電圧設定回路８０８の出力端子８０８Ｂに対応し、コンパレータの反転入力端子に接続される。これにより、コンパレータの反転入力端子には、基準電圧Ｖrefが設定される。
【００９７】
この回路よって、以下のように3種類の基準電圧を得ることができる。
【００９８】
まず一つ目の基準電圧値は、入力端子ＩＮBを開放した場合に得られる値である。この場合、nＦＥＴＦ1及びｐＦＥＴＦ2が共にＯＮの状態であり、抵抗Ｒ１、Ｒ２、Ｒ３、Ｒ３´及び電源ＶCCによる抵抗の分圧として、以下の（４）及び（５）式から基準電圧値が得られる。
【００９９】
【数４】
0004471045.tif 000005
【０１００】
【数５】
0004471045.tif 000006
【０１０１】
次に、二つ目の基準電圧値は、入力端子ＩＮBにＨレベル信号を入力した場合に得られる値である。この場合、入力されたＨレベル信号よって、nＦＥＴＦ1のみがＯＮの状態となる。よって、抵抗Ｒ１、Ｒ２、Ｒ３及び電源ＶCCによる抵抗の分圧として、以下の（６）式から基準電圧値が得られる。
【０１０２】
【数６】
0004471045.tif 000007
【０１０３】
さらに、三つ目の基準電圧値は、入力端子ＩＮBにＬレベル信号を入力した場合に得られる値である。この場合、入力されたＬレベル信号よって、ｐＦＥＴＦ2のみがＯＮの状態となる。よって、抵抗Ｒ１、Ｒ２、Ｒ３´及び電源ＶCCによる抵抗の分圧として、以下の（７）式から基準電圧値が得られる。
【０１０４】
【数７】
0004471045.tif 000008
【０１０５】
また、図１３には基準電圧設定回路８０８の第３の回路構成例が示されている。この回路は、ヒステリシス特性を有するコンパレータＣＰ１、ＣＰ２を有し、電界効果トランジスタＱ1、Ｑ2（以下、ＦＥＴＱ1、ＦＥＴＱ2という。）を有している。コンパレータＣＰ１の非反転入力端子とコンパレータＣＰ２の非反転入力端子とは、分岐点Ｐ4において接続されている。また、分岐点Ｐ4は入力端子ＩＮCに接続されている。この入力端子ＩＮCは、基準電圧設定回路８０８の入力端子８０８Ａに対応する。また、分岐点Ｐ4と入力端子ＩＮCとの間には、一端が電源ＶCCに接続された抵抗ｒ7と一端が接地された抵抗ｒ8とが接続されている。これにより、コンパレータＣＰ１及びＣＰ２の非反転入力端子には、入力電圧ＶINが入力される。また、コンパレータＣＰ１の反転入力端子には、抵抗ｒ9を介して電源ＶCCが接続されている。さらに、コンパレータＣＰ１の反転入力端子と抵抗ｒ9との間には一端が接地された抵抗ｒ10が接続されている。これにより、抵抗ｒ9、ｒ10及び電源ＶCCによる抵抗の分圧として、コンパレータＣＰ１の反転入力端子には比較電圧Ｖ1が設定される。また、コンパレータＣＰ１の出力端は、ＦＥＴＱ1のゲートに接続されている。また、コンパレータＣＰ１の出力端には、抵抗ｒ13を介して電源ＶCCが接続されている。同様に、コンパレータＣＰ２の反転入力端子には、抵抗ｒ11を介して電源ＶCCが接続されている。さらに、コンパレータＣＰ２の反転入力端子と抵抗ｒ11との間には一端が接地された抵抗ｒ12が接続されている。これにより、抵抗ｒ11、ｒ12及び電源ＶCCによる抵抗の分圧として、コンパレータＣＰ２の反転入力端子には比較電圧Ｖ2が設定される。なお、本実施の形態では、比較電圧Ｖ2は比較電圧Ｖ1より低い電圧を設定する。また、コンパレータＣＰ２の出力端は、ＦＥＴＱ2のゲートに接続されている。また、コンパレータＣＰ２の出力端には、抵抗ｒ14を介して電源ＶCCが接続されている。ＦＥＴＱ1及びＦＥＴＱ2のソースは共に接地されている。また、抵抗Ｒ１、抵抗Ｒ２、抵抗Ｒ３、抵抗Ｒ４は順に接続されており、抵抗Ｒ１の一端は電源ＶCCに接続され、抵抗Ｒ４の一端は接地されている。抵抗Ｒ１と抵抗Ｒ２との間には出力端子ＯＵＴCが接続されている。出力端子ＯＵＴCは、基準電圧設定回路８０８の出力端子８０８Ｂに対応する。また、抵抗Ｒ２と抵抗Ｒ３との間にはＦＥＴＱ1のドレインが接続され、抵抗Ｒ３と抵抗Ｒ４との間にはＦＥＴＱ2のドレインが接続されている。
【０１０６】
この回路を用いることにより、入力端子ＩＮCが電源ＶCCにプルアップ（ＶIN＝ＶCC）されている状態、または入力端子ＩＮCがグランドにプルダウン（ＶIN＝０ｖ）されている状態、または入力端子ＩＮCが開放（ＶIN＝(ｒ8／ｒ7＋ｒ8)×ＶCC）されている状態の何れかの状態によって、基準電圧Ｖrefを３種類に設定することができる。
【０１０７】
コンパレータＣＰ１、ＣＰ２では、入力電圧ＶINを、設定されている各々の比較電圧Ｖ1、Ｖ2と比較し、その比較結果を論理レベル電圧に変換している。例えば、入力電圧ＶINがコンパレータＣＰ１の比較電圧Ｖ1より高ければ、比較結果として、コンパレータＣＰ１の出力はＨレベルとなり、ＦＥＴＱ1はＯＮの状態となる。一方、入力電圧ＶINがコンパレータＣＰ１の比較電圧Ｖ1の電圧値以下ならば、比較結果として、コンパレータＣＰ１の出力はＬレベルとなり、ＦＥＴＱ1はＯＦＦの状態となる。また、コンパレータＣＰ２についても同様である。
【０１０８】
従って、ＦＥＴＱ1、ＦＥＴＱ2のＯＮ、ＯＦＦの状態の組合せにより、抵抗Ｒ１乃至Ｒ４による分圧が定まり，３種類の基準電圧Ｖrefを得ることができる。
【０１０９】
ここで、結果として得られる入力電圧ＶINと基準電圧Ｖrefとの関係を以下の表１に示した。但し、比較電圧Ｖ1は比較電圧Ｖ2より高い電圧値である。
【０１１０】
【表１】
0004471045.tif 000009
【０１１１】
以上説明したように、本第３の実施形態では、上述した第１の実施形態における効果に加え、ＩＣ内部回路８０２におけるコンパレータの基準電圧を固定化した入出力系については、頻繁に用いるセンサスイッチに応じた基準電圧を設定することで、回路製作時の負担を軽減できる。また、ＩＣ内部回路８０２におけるコンパレータの基準電圧を設定変更可能にした入出力系については、基準電圧設定回路８０８，８１０を用いて、複数各種のセンサスイッチに合った適切な基準電圧を容易に設定できる。また、基準電圧設定回路８０８、８１０は、ＩＣ内部回路８０２に内蔵することも可能である。
【０１１２】
以上説明したように、本第３実施形態に係る入力インターフェース回路ＩＣ７５０を、上記したような近接スイッチ５０、フォトスイッチ５２、５４を接続してパチンコ遊技機に用いれば、各センサスイッチが出力する検出信号を適切に認識できる。
【０１１３】
また、集積化されて小型化しているため、パチンコ遊技機裏面に配置スペースの余裕が生まれ、新たな機能追加が容易となり、回路素子の放熱も良好に行なわれる。
【０１１４】
なお、上述した第１乃至第３実施形態では、パチンコ遊技機における、本発明の適用例について説明したが、本発明の実施の形態はパチンコ遊技機に限定されるものではなく、例えば、パチスロ遊技機等にも適用できることはいうまでもない。
【０１１５】
【発明の効果】
以上説明したように本発明によれば、抵抗の分圧によって閾値設定されたコンパレータを用いて信号検出を行ない、また、これらの回路の共通部分を集積回路化するようにしたので、周囲の温度の変化に影響されにくく、適正に信号を検出することができるパチンコ遊技機の入力インターフェース回路を得ることができるという優れた効果を有する。
【図面の簡単な説明】
【図１】パチンコ遊技機の概略正面図である。
【図２】パチンコ遊技機の遊技盤面裏面構造図である。
【図３】パチンコ遊技機に用いられる各種センサスイッチの概観図である。
【図４】本発明の第１の実施形態に係るパチンコ遊技機の入力インターフェース回路の概略図である。
【図５】（Ａ）及び（Ｂ）は本発明の第１の実施形態に係るパチンコ遊技機の入力インターフェース回路の適用例を示す概略図である。
【図６】本発明の第２の実施形態に係るパチンコ遊技機の入力インターフェース回路を適用した信号制御装置の概略図である。
【図７】（Ａ）は本発明の第３の実施形態に係る集積回路化されたパチンコ遊技機の入力インターフェース回路の概観図であり、（Ｂ）は図７（Ａ）の端子配列図である。
【図８】本発明の第３の実施形態に係る集積回路化されたパチンコ遊技機の入力インターフェース回路の概略図である。
【図９】基準電圧を設定するための回路を説明するための第１の回路例を示す概略図である。
【図１０】基準電圧を設定するための回路を説明するための第２の回路例を示す概略図である。
【図１１】基準電圧設定回路の第１の例を示す概略図である。
【図１２】基準電圧設定回路の第２の例を示す概略図である。
【図１３】基準電圧設定回路の第３の例を示す概略図である。
【図１４】従来のパチンコ遊技機の入力インターフェース回路を示す概略図である。
【符号の説明】
１０        パチンコ遊技機
１６        作動ゲート
１８        特別図柄始動入賞口
２０        大入賞口
２２        入賞口
３０        作動ゲートスイッチ
３２        特別図柄始動スイッチ
３４        役物連続作動装置スイッチ
３６        カウントスイッチ
３８        賞球待機スイッチ
４０        入賞球検出スイッチ
５０        近接スイッチ
５２        フォトスイッチ
５４        フォトスイッチ
１０１      本発明のパチンコ遊技機の入力インターフェース回路
１０２      センサスイッチ
１０４      センサスイッチ
２００      検出及び電圧変換回路
２０２      コンパレータ
２０４      コンパレータ
３００      出力回路
３０２      ３ステートバッファ
３０４      ３ステートバッファ
４００      出力回路
４０２      ３ステートバッファ
４０４      ３ステートバッファ
５００      制御部
６００      制御部
８０２      入力インターフェース回路ＩＣの内部回路
８０８      基準電圧設定回路
８１０      基準電圧設定回路
９０１      従来のパチンコ遊技機の入力インターフェース回路
【図１】
0004471045.tif 000010
【図２】
0004471045.tif 000011
【図３】
0004471045.tif 000012
【図４】
0004471045.tif 000013
【図５】
0004471045.tif 000014
【図６】
0004471045.tif 000015
【図７】
0004471045.tif 000016
【図８】
0004471045.tif 000017
【図９】
0004471045.tif 000018
【図１０】
0004471045.tif 000019
【図１１】
0004471045.tif 000020
【図１２】
0004471045.tif 000021
【図１３】
0004471045.tif 000022
【図１４】
0004471045.tif 000023